(57)【要約】      （修正有）【課題】個々の画像データ頁に対して複写防止用の追跡用パターンを異なった位置に付加し、改竄に強い追跡用パターンを付加できるようにする。【解決手段】情報取得部２１は、リアルタイムに変動する変動情報例えば当該取得時点での時刻を取得する。書込位置設定部２３は、画像データに対し情報取得部２１で得られた変動情報に基づき追跡パターンの書込位置を設定する。画像処理部１３は、入力された画像データに対して装置固有の情報を追跡パターンにしてその書込位置に書き込んで画像処理する。【選択図】図１
2008141295.tif 000002
【特許請求の範囲】
【請求項１】
入力された画像データに対し装置固有の情報を所定のパターンにして所定の書込位置に書き込んで画像処理する画像処理部と、
リアルタイムに変動する変動情報を取得する情報取得部と、
この情報取得部で得られた前記変動情報に基づき前記画像処理部における前記パターンの前記書込位置を設定する書込位置設定部と、
を具備することを特徴とする画像処理装置。
【請求項２】
前記書込位置設定部は、前記画像データに係る画像領域の描画スタート位置を基準として前記書込位置を設定するものである請求項１記載の画像処理装置。
【請求項３】
前記情報取得部で取得する変動情報は、当該取得時点での時刻である請求項１又は２記載の画像処理装置。
【請求項４】
前記情報取得部で取得する変動情報は、当該取得時点において当該機器内でカウントされるカウント値である請求項１又は２記載の画像処理装置。
【請求項５】
前記情報取得部で取得する変動情報は、当該取得時点において乱数手段から得られる値である請求項１又は２記載の画像処理装置。
【請求項６】
入力された画像データに対し装置固有の情報を所定のパターンを書き込んで画像処理する画像処理用のコンピュータに、
前記画像データに対して前記パターンを所定の書込位置に書き込んで画像処理する画像処理と、
リアルタイムに変動する変動情報を取得する情報取得処理と、
この情報取得処理で得られた前記変動情報に基づき前記画像処理における前記パターンの前記書込位置を設定する書込位置設定処理と、
を実行させることを特徴とする画像処理プログラム。
【請求項７】
前記書込位置設定処理は、前記画像データに係る画像領域の描画スタート位置を基準として前記書込位置を設定するものである請求項６記載の画像処理プログラム。
【請求項８】
前記情報取得処理で取得する変動情報は、当該取得時点での時刻である請求項６又は７記載の画像処理プログラム。
【請求項９】
前記情報取得処理で取得する変動情報は、当該取得時点において当該機器内でカウントされるカウント値である請求項６又は７記載の画像処理プログラム。
【請求項１０】
前記情報取得処理で取得する変動情報は、当該取得時点において乱数作成処理から得られる値である請求項６又は７記載の画像処理プログラム。
【発明の詳細な説明】
【技術分野】
【０００１】
本発明は画像処理装置および画像処理プログラムに係り、複写機又はこの機能を有する複合機（ＭＦＰ：Multi Function Peripheral）等に用いて好適する画像処理装置および画像処理プログラムに関する。
【背景技術】
【０００２】
近年、原稿画像に忠実な複写が可能な高画質のデジタルカラー複写機等が実用化され、紙幣や有価証券等が高画質で複写されて偽造されるおそれが出てきた。
【０００３】
このような偽造行為を防ぐ偽造防止手段としては、予め複写機内に紙幣や有価証券等に関する複写禁止用画像パターンを記憶させておき、原稿台上にセットされた紙幣や有価証券等から読取った画像データが複写禁止用画像パターンであるか否かを判別して複写動作を停止したり、正常なコピーができなくするような機能が考えられる。
【０００４】
しかし、あらゆる紙幣や有価証券等の画像データを記憶しておくことは、記憶容量、処理時間、新規の紙幣や有価証券等の出現により実質上不可能である。
【０００５】
そこで、複写そのものは禁止できないが、複写に使用された機械のメーカ機種名、シリアルナンバー、複写した日時等を特定する情報を追跡パターンにして複写物自体に通常では目に見えない特殊な暗号として書き込む技術が提供されている。
【０００６】
例えば図４に示すように、紙幣１の図柄画像データ３内に、所定のブロック内における小さな（例えば１画素からなる）ドットからなる追跡パターン５を配置し、この追跡パターン５入り画像データ３を複写紙に形成する技術である。
【０００７】
なお、追跡パターン５は、付加による出力画像の劣化を最小限に抑えるために、一般的にはイエローの色材が使用される。
【０００８】
このような技術として、例えば特開２００３−２３４８８６号公報（特許文献１）がある。
【０００９】
この特許文献１は、追跡用ドットパターンの１周期を構成する基準領域を、その追跡情報の内容に応じて分割し、最も重要なスタートマークやメーカＩＤを示すエリアでは大サイズのドットで、次に重要なシリアル番号等の個別ＩＤを示すエリアでは中サイズのドットで、その他の情報エリアでは小サイズのドットで付加することにより、画質劣化を抑えるとともに重要情報の検出を可能にし、偽造防止効果を高めたものである。
【００１０】
さらに、特開平６−６２２１７号公報（特許文献２）も提案されている。
【００１１】
この特許文献２は、記号パターン発生手段から出力される複写防止用の記号パターンを変調手段にて画像信号の強度に応じて変調し、この変調された記号パターンと画像信号を合成手段で合成し、付加される記号パターンを画像信号の強度に応じて変調することにより、複写画像中にて記号パターンが画像信号に埋れないように付加し、紙幣などの偽造を防止するものである。
【特許文献１】特開特開２００３−３４８８６号公報
【特許文献２】特開平６−６２２１７
【発明の開示】
【発明が解決しようとする課題】
【００１２】
しかしながら、上述した特許文献１および特許文献２では、各画像データや画像信号に対して決まった位置に追跡パターンを付加していたので、視認し難い形式でパターンの付加を行っているとはいえ、印刷等された画像を分析されれば何らかの情報が画像に付加されていることを容易に判断され易い。
【００１３】
そのため、それを見越して予め追跡パターンの付加位置をマスクするような画像データを作成し、追跡パターンを分からなくしてしまうような改竄がなされてしまうことが考えられる。
【００１４】
そのような課題を解決するために本発明は、個々の画像データ頁に対して所定のパターン画像を異なった位置に付加し、改竄に強い追跡用パターンの付加を可能にした画像処理装置および画像処理プログラムを提供するものである。
【課題を解決するための手段】
【００１５】
そのような課題を解決するために本発明に係る画像処理装置は、入力された画像データに対し装置固有の情報を所定のパターンにして所定の書込位置に書き込んで画像処理する画像処理部と、リアルタイムに変動する変動情報を取得する情報取得部と、この情報取得部で得られた変動情報に基づきその画像処理部におけるそのパターンの書込位置を設定する書込位置設定部とを具備している。
【００１６】
本発明の画像処理装置では、上記書込位置設定部がその画像データに係る画像領域の描画スタート位置を基準としてその書込位置を設定する構成も可能である。
【００１７】
本発明の画像処理装置では、上記情報取得部で取得する変動情報が、当該取得時点での時刻である構成も可能である。
【００１８】
本発明の画像処理装置では、上記情報取得部で取得する変動情報が、当該取得時点において当該機器内でカウントされるカウント値である構成も可能である。
【００１９】
本発明の画像処理装置では、上記情報取得部で取得する変動情報が、当該取得時点において乱数手段から得られる値である構成も可能である。
【００２０】
本発明に係る画層処理プログラムは、入力された画像データに対し装置固有の情報を所定のパターンを書き込んで画像処理する画像処理用のコンピュータに、その画像データに対してそのパターンを所定の書込位置に書き込んで画像処理する画像処理と、リアルタイムに変動する変動情報を取得する情報取得処理と、この情報取得処理で得られたその変動情報に基づき画像処理におけるそのパターンの書込位置を設定する書込位置設定処理とを実行させるものである。
【００２１】
本発明の画像処理プログラムでは、上記書込位置設定処理がその画像データに係る画像領域の描画スタート位置を基準としてその書込位置を設定する構成も可能である。
【００２２】
本発明の画像処理プログラムでは、上記情報取得処理で取得する変動情報が当該取得時点での時刻である構成も可能である。
【００２３】
本発明の画像処理プログラムでは、上記情報取得処理で取得する変動情報が、当該取得時点において当該機器内でカウントされるカウント値である構成も可能である。
【００２４】
本発明の画像処理プログラムでは、上記情報取得処理で取得する変動情報が、当該取得時点において乱数作成処理から得られる値である構成も可能である。
【発明の効果】
【００２５】
このような本発明に係る画像処理装置および画像処理プログラムでは、リアルタイムに変動する変動情報を取得し、この変動情報に基づき画像データに対するパターンの書込位置を設定し、入力された画像データに対して装置固有の情報をそのパターンにしてその書込位置に書き込んで画像処理するから、個々の画像データ頁に対して追跡用パターンを異なった位置で付加し、改竄に強い追跡用パターン付加が可能となる。
【００２６】
本発明において、その画像データに係る画像領域の描画スタート位置を基準としてその書込位置を設定する構成では、描画スタート位置は一定であることが多いから、変化させる書込位置の設定算出が容易である。
【００２７】
本発明において、その変動情報が当該取得時点での時刻である構成では、変動情報の取得が容易である。
【００２８】
本発明において、その変動情報が当該取得時点において当該機器内でカウントされるカウント値である構成では、例えば機器に搭載される複写枚数カウント値等の使用が可能となり、変動情報の取得が容易である。
【００２９】
本発明において、その変動情報が当該取得時点において乱数手段から得られる値である構成では、リアルタイムに変動する変動情報をソフトウエアによって形成可能である。
【発明を実施するための最良の形態】
【００３０】
以下、本発明に係る画像処理装置の実施の形態を図面を参照して説明する。なお、本発明に係る画像処理プログラムは画像処理装置を説明する過程で説明する。
【００３１】
図１は本発明に係る画像処理装置の実施の形態を示す概略ブロック図である。
【００３２】
図１において本発明に係る画像処理装置は、制御部７を中心にして画像読取部９、記憶部１１、画像処理部１３、印刷部１５、表示部１７、操作部１９、情報取得部２１、書込位置設定部２３その他を具備して複写機や複合機として機能するものである。
【００３３】
画像読取部９は、制御部７の制御の下、例えば印刷された複数頁の原稿から画像データを光学的に読み込み、フィルタ処理、変倍処理、γ処理および階調処理等をして電子的画像データを生成する公知のスキャナー等のデータ入力部であり、生成した画像データが原稿の頁毎に記憶部１１に順次記憶されるようになっている。
【００３４】
画像読取部９は、複数頁の原稿を自動的に給紙読み込む自動給紙機構を有する場合もあるが、公知のものであるから図示および説明を省略する。
【００３５】
記憶部１１は、制御部７の制御の下、画像読取部９からの画像データ、後述する追跡パターンその他を読み書き可能に格納する例えばハードディスク（ＨＤＤ）である。
【００３６】
追跡パターンは、上述した図４に示したように、複写機や複合機のメーカ機種名、シリアルナンバー、複写した日時等の装置固有の情報であってそれらを特定する情報であり、一定のブロック内における小さな（例えば１画素からなる）ドットからなるパターン（追跡パターン）にして暗号化したものである。
【００３７】
画像処理部１３は、記憶部１１に記憶された画像データに基づき、例えば１頁毎の印刷用イメージデータに生成する画像処理の他、追跡パターンを所定の書込位置に書き込んで画像処理し、記憶部１１に記憶する機能を有している。
【００３８】
印刷部１５は、記憶部１１に格納された追跡パターン入り印刷用イメージデータその他を、制御部７の制御の下、所定の印刷順位で印刷する公知のカラー印刷エンジンである。
【００３９】
なお、追跡パターンは、一般的には視認し難いイエローの色材を用いて画像に重畳して印刷する。
【００４０】
表示部１７は、機器の本体ケースに配置され、制御部７の制御の下、印刷処理状況その他を表示する液晶ディスプレイ等である。
【００４１】
操作部１９は、当該装置本体ケース（図示せず。）に配置された液晶タッチパネルからなり、画像読取部９による原稿からの画像データの読取り開始指示、追跡パターンの画像データへの書込指示を外部からキーの押下操作等によって受ける機能を有し、制御部７によって制御される。なお、操作部１９は、表示部１７と一体的に構成される場合もある。
【００４２】
情報取得部２１は、リアルタイムに変動する変動情報、例えば当該装置に搭載したクロック（時計機構）からのその時々の時刻情報や、一般に当該装置に搭載される累積複写枚数カウンタでカウントされるその時々のカウント値を情報として取得し、書込位置設定部２３に出力する機能を有している。
【００４３】
それらクロック又は累積複写枚数カウンタは本発明の要部ではないし、従来公知のものであるから詳細な説明は省略する。
【００４４】
書込位置設定部２３は、情報取得部２１で得られた時刻等の変動情報に基づき画像処理部１３におけるその追跡パターンの書込位置を設定する機能を有している。
【００４５】
追跡パターンの書込位置は、例えば図２に示すように、その画像データに係る一端の描画スタート位置（又は読取りスタート位置）Ｐを基準としたとき、副走査方向および主走査方向から追跡パターン５の書込位置（付加スタート位置）を設定するものである。
【００４６】
例えば、画像データに係る画像領域の描画スタート位置Ｐから副走査方向に（時間×１０）ライン、主走査方向に（分×１０）画素ずらした位置からパターンの付加をスタートさせる。
【００４７】
複写時刻が「１２時２５分」であれば、画像データの描画スタート位置Ｐから副走査方向に１２０ライン、主走査方向に２５０画素の位置から追跡パターン５を付加する。なお、所定の間隔で繰り返し付加することが可能である。
【００４８】
制御部７は、画像読取部９、記憶部１１、画像処理部１３、印刷部１５、表示部１７、操作部１９、情報取得部２１、書込位置設定部２３を制御するもので、制御演算機能の主要部をなすＣＰＵやこのＣＰＵの動作ソフトウエアを格納したＲＯＭを有している。
【００４９】
次に、本発明に係る画像処理装置の動作を図３のフローチャートを参照して簡単に説明する。
【００５０】
プログラムが開始されると、ステップＳ１にて例えば画像読取部９から画像データを入力処理し、ステップＳ２にて情報取得部２１から画像データの入力時点の時刻を変動情報として取得し、ステップＳ３にて追跡パターンの書込位置の設定処理を実行する。
【００５１】
上述したように入力時刻が「１２時２５分」であれば、書込位置設定部２３が画像データの描画スタート位置Ｐから副走査方向に１２０ライン、主走査方向に２５０画素の位置を追跡パターンの書込位置（付加スタート位置）を算出し、その値を画像処理部１３に出力設定する。
【００５２】
続くステップＳ４では、画像処理部１３が画像データに対して追跡パターン５を書込位置（付加スタート位置）から重ねるようにして書き込み、ステップＳ５で追跡パターン入り画像データを印刷部１５で印刷して終了する。
【００５３】
そして、それらの動作処理手順が本発明に係る画像処理プログラムとなる訳である。
【００５４】
このように本発明に係る画像処理装置では、入力された画像データに対し装置固有の情報を所定のパターンにして書き込んで画像処理する画像処理部１３と、リアルタイムに変動する変動情報、例えば当該取得時点での時刻を取得する情報取得部２１と、この情報取得部２１で得られた時刻情報に基づきその画像処理部１３におけるそのパターンの書込位置を設定する書込位置設定部２３とを具備している。
【００５５】
そのため、個々の画像データ頁に対して追跡用パターン５を異なった位置に付加し、改竄に強い追跡用パターンの付加が可能となる。
【００５６】
しかも、複写機等では時計機構を内蔵するのが一般的であるから、変動情報としての時刻取得が極めて容易である。
【００５７】
また、その画像データに係る画像領域の描画スタート位置Ｐは一定であるから、これを基準として変化させる書込位置の設定が容易である。
【００５８】
そして、本発明における画像処理装置においては、その変動情報として時刻に限定されない。
【００５９】
一般に、複写機等では複写枚数カウントするカウント機構を内蔵するから、当該取得時点において当該機器内でカウントされるカウント値を変動情報とする構成も可能で、同様に変動情報の取得が極めて容易である。
【００６０】
さらに、変動情報として、乱数表等を用いて当該取得時点において得られる数値を用いる構成も可能であり、この構成ではリアルタイムに変動する変動情報をソフトウエアによって形成可能である。
【００６１】
ところで、本発明の画像処理装置において、全ての画像データ頁で複写防止用の追跡用パターン５を異なった位置に付加するか、複数の画像データ頁では同一位置で追跡用パターン５を付加するかは任意に選択可能であり、リアルタイムに変動する変動情報の取得方法および活用方法による。
【００６２】
本発明に係る画像処理プログラムにおいても、その画像データに係る画像領域の描画スタート位置を基準としたその書込位置を設定したり、その変動情報を当該取得時点での時刻や当該機器内でカウントされるカウント値や、当該取得時点において乱数手段から得られる値とする構成でも、本発明に係る画像処理装置の効果と同様の効果が得られる。
【図面の簡単な説明】
【００６３】
【図１】本発明に係る画像処理装置の実施の一形態を示す概略ブロック図である。
【図２】本発明に係る画像処理装置の動作を説明する図である。
【図３】本発明に係る画像処理装置の動作を説明するフローチャートである。
【図４】従来の追跡パターンの配置を説明する図である。
【符号の説明】
【００６４】
１  紙幣
３  画像データ
５  追跡パターン
７  制御部
９  画像読取部
１１  記憶部
１３  画像処理部
１５  印刷部
１７  表示部
１９  操作部
２１  情報取得部
２３  書込位置設定部
【図１】
2008141295.tif 000003
【図２】
2008141295.tif 000004
【図３】
2008141295.tif 000005
【図４】
2008141295.tif 000006